(57)【要約】【課題】従来のブラックマトリックス層等を用いないことで、残渣の問題を解消して、コントラストの低下をなくすことができる情報表示用パネルおよびその製造方法を提供する。【解決手段】情報表示画面領域が透明な観察側とする絶縁性基板と背面側とする絶縁性基板とを、基板間ギャップ確保用隔壁を介して対向させて形成した、基板間の情報表示画面領域内の空間に配置された表示媒体を、情報表示画面領域が透明な観察側とする絶縁性基板の内側面および背面側とする絶縁性基板の内側面にそれぞれ形成されている電極を用いて形成した電界で駆動させて情報を表示する情報表示用パネルであって、情報表示画面領域内に配置される基板間ギャプ確保用隔壁４は透明であり、情報表示画面領域内に配置される基板間ギャップ確保用隔壁と絶縁性基板とを接合する接着材９は透明であり、背面側とする絶縁性基板の内側面の少なくとも透明な基板間ギャップ確保用隔壁との間には絶縁性の有色層３１が形成されている。【選択図】図１
2012078748.tif 000002
【特許請求の範囲】
【請求項１】
情報表示画面領域が透明な観察側とする絶縁性基板と、背面側とする絶縁性基板とを、基板間ギャップ確保用隔壁を介して対向させて形成した、基板間の前記情報表示画面領域内の空間に配置された表示媒体を、前記情報表示画面領域が透明な観察側とする絶縁性基板の内側面および背面側とする絶縁性基板の内側面にそれぞれ形成されている電極を用いて形成した電界で駆動させて情報を表示する情報表示用パネルであって、
前記情報表示画面領域内に配置される基板間ギャプ確保用隔壁は透明であり、前記情報表示画面領域内に配置される基板間ギャップ確保用隔壁と前記絶縁性基板とを接合する接着材は透明であり、前記背面側とする絶縁性基板の内側面の少なくとも前記透明な基板間ギャップ確保用隔壁との間には絶縁性の有色層が形成されている、情報表示用パネル。
【請求項２】
情報表示画面領域が透明な観察側とする絶縁性基板と、背面側とする絶縁性基板とを、基板間ギャップ確保用隔壁を介して対向させて形成した、基板間の前記情報表示画面領域内の空間に配置された表示媒体を、前記情報表示画面領域が透明な観察側とする絶縁性基板の内側面または背面側とする絶縁性基板の内側面のいずれかにだけ形成されている電極と、前記電極が形成されていない方の絶縁性基板の外側に配置される電極とを用いて形成した電界で駆動させて情報を表示する情報表示用パネルであって、
前記情報表示画面領域内に配置される基板間ギャップ確保用隔壁は透明であり、前記情報表示画面領域内に配置される基板間ギャップ確保用隔壁と前記絶縁性基板とを接合する接着材は透明であり、前記背面側とする絶縁性基板の内側面の少なくとも前記透明な基板間ギャップ確保用隔壁との間には絶縁性の有色層が形成されている、情報表示用パネル。
【請求項３】
前記絶縁性の有色層が、前記背面側とする絶縁性基板の内側面と、前記透明な基板間ギャップ確保用隔壁との間だけに形成してある、請求項１または２に記載の情報表示用パネル。
【請求項４】
前記絶縁性の有色層が、前記背面側とする絶縁性基板の内側面の少なくとも前記情報表示画面領域全面に形成されているとき、もう一方の少なくとも前記情報表示画面領域が透明な観察側とする絶縁性基板の内側面に絶縁性の透明層を形成してある、請求項１〜３のいずれか１項に記載の情報表示用パネル。
【請求項５】
前記表示媒体が、正帯電性粒子（粒子Ａ）および負帯電性粒子（粒子Ｂ）の２種類である情報表示用パネルであって、前記表示媒体が接する基板内面の絶縁性の層および前記２種類の帯電性粒子の帯電序列を、粒子Ａ＞絶縁性の層＞粒子Ｂとする、請求項４に記載の情報表示用パネル。
【請求項６】
前記表示媒体が接する基板内面に形成される絶縁性の層の体積固有抵抗が、１．０×１０10Ω・ｃｍ以上である、請求項１〜５のいずれか１項に記載の情報表示用パネル。
【請求項７】
前記絶縁性の有色層が、白色または黒色である、請求項１〜６のいずれか１項に記載の情報表示用パネル。
【請求項８】
請求項１〜７のいずれか１項に記載した情報表示用パネルの製造方法において、情報表示用パネルの観察側となる前記絶縁性基板の内側面の前記透明な情報表示画面領域に、前記透明な基板間ギャップ確保用隔壁を形成するステップと、情報表示用パネルの背面側となる前記絶縁性基板の内側面の少なくとも前記透明な基板間ギャップ確保用隔壁を形成する箇所を被覆するように、前記絶縁性の有色層を形成するステップと、前記透明な基板間ギャップ確保用隔壁と前記絶縁性の有色層との間に透明な接着材を配置して、前記２枚の絶縁性基板を貼り合わせるステップと、を含む、情報表示用パネルの製造方法。
【請求項９】
請求項１〜７のいずれか１項に記載した情報表示用パネルの製造方法において、情報表示用パネルの背面側となる前記絶縁性基板の内側面であって、前記情報表示画面領域の少なくとも前記透明な基板間ギャップ確保用隔壁を形成する箇所を被覆するように、前記絶縁性の有色層を形成するステップと、前記絶縁性の有色層の上に、前記透明な基板間ギャップ確保用隔壁を形成するステップと、情報表示用パネルの観察側となる少なくとも前記情報表示画面領域が透明な前記絶縁性基板の内側面と前記透明な基板間ギャップ確保用隔壁との間に透明な接着材を配置して、前記２枚の絶縁性基板を貼り合わせるステップと、を含む、情報表示用パネルの製造方法。
【発明の詳細な説明】
【技術分野】
【０００１】
本発明は、少なくとも情報表示画面領域が透明で、観察側となる絶縁性基板と、背面側となる絶縁性基板と、の間に配置した表示媒体を電界で駆動させて情報を表示する情報表示用パネルおよびその製造方法に関するものである。
【背景技術】
【０００２】
従来、上述した構成の情報表示用パネルにおいて、画像視認性を改善するために、基板間ギャップを確保するとともに、表示媒体を収納するセルを形成するために設けた隔壁と観察側の透明パネル基板との間にブラックマトリックスと呼ばれる黒色層を設けることが一般的であった（例えば、特許文献１参照）。
【先行技術文献】
【特許文献】
【０００３】
【特許文献１】特開２００４−５４２８７号公報
【０００４】
図１６は従来のブラックマトリックスを有する情報表示用パネルの一例の構成を示す図である。図１６に示す例において、５１は観察側のパネル基板の透明な情報表示画面領域部分、５２は観察側のパネル基板５１上に形成された酸化インジウム錫（ＩＴＯ）からなる電極、５３は電極５２上に設けられたブラックマトリックス層、５４は基板間ギャップを確保するとともにセル５５を形成するための隔壁、５６は背面側のパネル基板、５７は背面側のパネル基板５６上に形成された電極、５８は背面側のパネル基板５６および電極５７と隔壁５４とを接合するための接着剤、６１Ｂはセル５５内に配置された帯電性黒色粒子６１Ｂａを含んだ粒子群として構成した黒色表示媒体、６１Ｗはセル５５内に配置された帯電性白色粒子６１Ｗａを含んだ粒子群として構成した白色表示媒体である。
【発明の概要】
【発明が解決しようとする課題】
【０００５】
上述した従来の情報表示用パネルにおいて、ブラックマトリックス層５３は、観察側の透明パネル基板５１上に形成したＩＴＯ電極５２を含めたパネル基板５１の情報表示画面領域全面に薄膜として形成した後、フォトリソグラフィーにてパターニングして設けられていた。このようにして、フォトリソグラフィーによりブラックマトリックス層５３をパターニングする場合、高精細なパターニングが難しく、ブラックマトリックス層５３のエッジ部がセル内にはみ出した状態になりやすく、開口率が低下してしまうことがあった。
【０００６】
また、図１７に示すように、ブラックマトリックス層５３をフォトリソグラフィーにより形成する際、露光した後に未露光部の材料を洗浄して取り除いているが完全に取り除くことが出来ず、ブラックマトリックス層５３の残渣６３がセル５５内に生じていた。この場合、残渣６３は黒色であるため情報表示用パネルにおける白反射率が低下し、コントラストが悪化したりする問題が発生していた。また、上述したコントラストが悪化する問題は、ブラックマトリックス層を用いた場合だけでなく、ホワイトマトリックス層など、他の有色層を用いた場合も同様に発生していた。
【０００７】
本発明の目的は上述した従来のブラックマトリックス層などの有色層を設けた情報表示用パネルにおいて発生していた有色層残渣によるコントラスト低下の問題や開口率が低下する問題をなくすことができる情報表示用パネルを、その有利な製造方法と共に提供しようとするものである。
【課題を解決するための手段】
【０００８】
本発明の情報表示用パネルは、情報表示画面領域が透明な観察側とする絶縁性基板と背面側とする絶縁性基板とを、基板間ギャップ確保用隔壁を介して対向させて形成した、基板間の前記情報表示画面領域内の空間に配置された表示媒体を、前記情報表示画面領域が透明な観察側とする絶縁性基板の内側面および背面側とする絶縁性基板の内側面にそれぞれ形成されている電極を用いて形成した電界で駆動させて情報を表示する情報表示用パネルであって、前記情報表示画面領域内に配置される基板間ギャプ確保用隔壁は透明であり、前記情報表示画面領域内に配置される基板間ギャップ確保用隔壁と前記絶縁性基板とを接合する接着材は透明であり、前記背面側とする絶縁性基板の内側面の少なくとも前記透明な基板間ギャップ確保用隔壁との間には絶縁性の有色層が形成されていることを特徴とするものである。
【０００９】
また、本発明の情報表示用パネルは、情報表示画面領域が透明な観察側とする絶縁性基板と背面側とする絶縁性基板とを、基板間ギャップ確保用隔壁を介して対向させて形成した、基板間の前記情報表示画面領域内の空間に配置された表示媒体を、前記情報表示画面領域が透明な観察側とする絶縁性基板の内側面または背面側とする絶縁性基板の内側面のいずれかにだけ形成されている電極と、前記電極が形成されていない方の絶縁性基板の外側に配置される電極とを用いて形成した電界で駆動させて情報を表示する情報表示用パネルであって、前記情報表示画面領域内に配置される基板間ギャップ確保用隔壁は透明であり、前記情報表示画面領域内に配置される基板間ギャップ確保用隔壁と前記絶縁性基板とを接合する接着材は透明であり、前記背面側とする絶縁性基板の内側面の少なくとも前記透明な基板間ギャップ確保用隔壁との間には絶縁性の有色層が形成されていることを特徴とするものである。
【００１０】
さらに、本発明の情報表示用パネルの好適例としては、前記絶縁性の有色層が、前記背面側とする絶縁性基板の内側面と、前記透明な基板間ギャップ確保用隔壁との間だけに形成してあること、前記絶縁性の有色層が、前記背面側とする絶縁性基板の内側面の少なくとも前記情報表示画面領域全面に形成されているとき、もう一方の少なくとも前記情報表示画面領域が透明な観察側とする絶縁性基板の内側面に絶縁性の透明層を形成してあること、前記表示媒体が、正帯電性粒子（粒子Ａ）および負帯電性粒子（粒子Ｂ）の２種類である情報表示用パネルであって、前記表示媒体が接する基板内面の絶縁性の層および前記２種類の帯電性粒子の帯電序列を、粒子Ａ＞絶縁性の層＞粒子Ｂとすること、前記表示媒体が接する基板内面に形成される絶縁性の層の体積固有抵抗が、１．０×１０10Ω・ｃｍ以上であること、前記絶縁性の有色層が、白色または黒色であること、がある。
【００１１】
本発明の情報表示用パネルの製造方法は、上述した情報表示用パネルの製造方法において、情報表示用パネルの観察側となる前記絶縁性基板の内側面の前記透明な情報表示画面領域に、前記透明な基板間ギャップ確保用隔壁を形成するステップと、情報表示用パネルの背面側となる前記絶縁性基板の内側面の少なくとも前記透明な基板間ギャップ確保用隔壁を形成する箇所を被覆するように、前記絶縁性の有色層を形成するステップと、前記透明な基板間ギャップ確保用隔壁と前記絶縁性の有色層との間に透明な接着材を配置して、前記２枚の絶縁性基板を貼り合わせるステップと、を含むことを特徴とするものである。
【００１２】
また、本発明の情報表示用パネルの製造方法は、上述した情報表示用パネルの製造方法において、情報表示用パネルの背面側となる前記絶縁性基板の内側面であって、前記情報表示画面領域の少なくとも前記透明な基板間ギャップ確保用隔壁を形成する箇所を被覆するように、前記絶縁性の有色層を形成するステップと、前記絶縁性の有色層の上に、前記透明な基板間ギャップ確保用隔壁を形成するステップと、情報表示用パネルの観察側となる少なくとも前記情報表示画面領域が透明な前記絶縁性基板の内側面と前記透明な基板間ギャップ確保用隔壁との間に透明な接着材を配置して、前記２枚の絶縁性基板を貼り合わせるステップと、を含むことを特徴とするものである。
【発明の効果】
【００１３】
本発明の情報表示用パネルによれば、従来のブラックマトリックス層やホワイトマトリックス層をはじめとする有色層を、絶縁性の有色層とするとともに、少なくとも情報表示画面領域が透明で、観察側となる絶縁性基板と、背面側となる絶縁性基板と、前記２枚の基板間ギャップを確保する基板間ギャップ確保用隔壁と、前記２枚の基板間に配置された、電界で駆動する表示媒体と、を有する情報表示用パネルの背面側となる絶縁性基板上の少なくとも前記透明な基板間ギャップ確保用隔壁との間に配置したことで、有色層を形成するために用いた材料の残渣や有色層のセル内へのはみ出しが原因となる、表示画像の視認性におけるコントラストの低下や開口率の低下をなくした情報表示用パネルとなる。
【００１４】
また、本発明の情報表示用パネルの好適例として、前記絶縁性の有色層が、前記背面側とする絶縁性基板の内側面と、前記透明な基板間ギャップ確保用隔壁との間だけに形成してあること、前記絶縁性の有色層が、前記背面側とする絶縁性基板の内側面の少なくとも前記情報表示画面領域全面に形成されているとき、もう一方の少なくとも前記情報表示画面領域が透明な観察側とする絶縁性基板の内側面が絶縁性にしてあること、前記表示媒体が、正帯電性粒子（粒子Ａ）および負帯電性粒子（粒子Ｂ）の２種類である情報表示用パネルであって、前記表示媒体が接する基板内面の層（絶縁性の層）および前記２種類の帯電性粒子の帯電序列を、粒子Ａ＞絶縁性の層＞粒子Ｂとすること、前記表示媒体が接する基板内面に形成される絶縁性の層の体積固有抵抗が、１．０×１０10Ω・ｃｍ以上であること、前記絶縁性の有色層が、白色または黒色であること、がある。この場合、情報表示用パネルの内側に設けられる絶縁性の透明層および絶縁性の有色層は、十分な絶縁性を有し、表示媒体を駆動するために付与する電界に対する妨げになることがなく、絶縁性基板に設けた導電膜（電極）と外部の電界形成手段（外部電極）とを用いて電界を付与する場合であっても、２枚の絶縁性基板に設けた導電膜（電極）を用いて電界を付与する場合であっても、良好な表示駆動を行える。さらにまた、前記絶縁性の有色層が、白色である場合は明るい表示画像が得られ、前記絶縁性の有色層が、黒色である場合ははっきりとした表示画像が得られるようになる。
【００１５】
また、情報表示用パネルの基板内側導電膜の、表示媒体と触れる面に絶縁性の有色層を設けた場合、もう一方の基板内側の表示媒体と触れる面も絶縁性にすると、表示媒体（帯電性粒子）が２枚の基板間で反転移動しやすくなる。特に、両方の基板内側面に導電膜を有する情報表示用パネルでは、絶縁性の有色層を設けた導電膜と対面する透明導電膜の上に透明な絶縁性の層を設けるようにすることが上記理由から好ましい。この場合、絶縁性層および２種類の帯電性粒子（正帯電性粒子：粒子Ａ、負帯電性粒子：粒子Ｂ）の帯電序列を、粒子Ａ＞絶縁性の層＞粒子Ｂとすることがさらに好ましい。これにより、表示情報を書換える際に行う表示媒体（粒子）の反転移動が確実に実行でき、移動しなかった粒子が引き起こすコントラスト不良などの表示性能上の問題も解消される。
【００１６】
本発明の情報表示用パネルの製造方法では、（１）情報表示用パネルの観察側となる前記絶縁性基板の内側面の前記透明な情報表示画面領域に、前記透明な基板間ギャップ確保用隔壁を形成するステップと、情報表示用パネルの背面側となる前記絶縁性基板の内側面の少なくとも前記透明な基板間ギャップ確保用隔壁を形成する箇所を被覆するように、前記絶縁性の有色層を形成するステップと、前記透明な基板間ギャップ確保用隔壁と前記絶縁性の有色層との間に透明な接着材を配置して、前記２枚の絶縁性基板を貼り合わせるステップと、を含む情報表示用パネルの製造方法としたことで、あるいは、（２）情報表示用パネルの背面側となる前記絶縁性基板の内側面であって、前記情報表示画面領域の少なくとも前記透明な基板間ギャップ確保用隔壁を形成する箇所を被覆するように、前記絶縁性の有色層を形成するステップと、前記絶縁性の有色層の上に、前記透明な基板間ギャップ確保用隔壁を形成するステップと、情報表示用パネルの観察側となる少なくとも前記情報表示画面領域が透明な前記絶縁性基板の内側面と前記透明な基板間ギャップ確保用隔壁との間に透明な接着材を配置して、前記２枚の絶縁性基板を貼り合わせるステップと、を含む情報表示用パネルの製造方法としたことで、ブラックマトリックスやホワイトマトリックスとして利用する絶縁性の有色層を基板間ギャップ確保用隔壁を形成する際にも除去しないようにしたので、形成した絶縁性の有色層は、背面側となる絶縁性基板の内側面に確実に固定され、セル内を移動して表示画像の妨げとなる有色層の発生を防止できる。また、この絶縁性の有色層を、背面側となる絶縁性基板に形成するので、セル内に露出している有色層は、観察側の基板に移動している表示媒体（粒子）によって隠されるため、この有色層は観察者からは見えない。従って、セル内に露出している有色層が表示の際にコントラストなどの表示性能に影響を及ぼすことはなく、透明な基板間ギャップ確保用隔壁の部分に形成されたこの有色層によるブラックマトリックス効果やホワイトマトリックス効果などを得ることができる。
【００１７】
さらに、本発明の情報表示用パネルの製造方法では、ブラックマトリックスやホワイトマトリックスを、膜状に配置したブラックマトリックス材やホワイトマトリックス材を、例えば、フォトリソグラフィーのような方法でパターニングすることを行わず、基板上に形成したままの状態で用いることができるので、残渣が残留することがなく、残渣によるコントラストの低下の問題が解消される。
【図面の簡単な説明】
【００１８】
【図１】（ａ）、（ｂ）はそれぞれ本発明の対象となる情報表示用パネルの一例の構成を示す図である。
【図２】（ａ）、（ｂ）はそれぞれ本発明の対象となる情報表示用パネルの他の例の構成を示す図である。
【図３】（ａ）、（ｂ）はそれぞれ本発明の対象となる情報表示用パネルのさらに他の例の構成を示す図である。
【図４】（ａ）、（ｂ）はそれぞれ本発明の対象となる情報表示用パネルのさらに他の例の構成を示す図である。
【図５】（ａ）、（ｂ）はそれぞれ図４（ａ）、（ｂ）に示した構成の情報表示用パネルを駆動するための別体の電極を含む駆動装置の一例を説明するための図である。
【図６】本発明の情報表示用パネルに図５（ａ）、（ｂ）に示した駆動装置により情報を表示する方法の一例を説明するための図である。
【図７】（ａ）、（ｂ）はそれぞれ本発明の情報表示用パネルにおける観察側から見た有色層の状態の一例を説明するための図である。
【図８】（ａ）、（ｂ）はそれぞれ本発明の情報表示用パネルにおける観察側から見た有色層の状態の他の例を説明するための図である。
【図９】（ａ）、（ｂ）はそれぞれ本発明の情報表示用パネルにおける観察側から見た有色層の状態のさらに他の例を説明するための図である。
【図１０】（ａ）、（ｂ）はそれぞれ本発明の情報表示用パネルにおける観察側から見た有色層の状態のさらに他の例を説明するための図である。
【図１１】（ａ）〜（ｄ）はそれぞれ本発明の情報表示用パネルの製造方法における各工程の一例を説明するための図である。
【図１２】（ａ）〜（ｄ）はそれぞれ本発明の情報表示用パネルの製造方法における各工程の他の例を説明するための図である。
【図１３】（ａ）〜（ｄ）はそれぞれ本発明の情報表示用パネルの製造方法における各工程のさらに他の例を説明するための図である。
【図１４】（ａ）〜（ｄ）はそれぞれ本発明の情報表示用パネルの製造方法における各工程のさらに他の例を説明するための図である。
【図１５】（ａ）〜（ｄ）はそれぞれ本発明の情報表示用パネルの製造方法における各工程のさらに他の例を説明するための図である。
【図１６】従来のブラックマトリックスを有する情報表示用パネルの一例の構成を示す図である。
【図１７】従来のブラックマトリックスを有する情報表示用パネルにおける問題点を説明するための図である。
【発明を実施するための形態】
【００１９】
＜本発明の対象となる情報表示用パネルについて＞
まず、本発明の対象となる情報表示用パネルの一例である帯電性粒子移動方式情報表示用パネルの基本的な構成について説明する。この方式の情報表示用パネルでは、対向する２枚の絶縁性の基板間に表示媒体として配置した帯電性粒子を含んだ粒子群に電界が付与される。付与された電界方向にそって、粒子が電界による力やクーロン力などによって引き寄せられ、粒子が電界方向の変化によって移動方向が切り換わることにより、画像等の情報表示がなされる。従って、粒子が、均一に移動し、かつ、表示情報を書き換える時あるいは表示した情報を継続して表示する時の安定性を維持できるように、情報表示用パネルを設計する必要がある。ここで、表示媒体としている粒子にかかる力は、粒子同士のクーロン力により引き付けあう力の他に、基板側表面との電気鏡像力、分子間力、液架橋力、重力などが考えられる。
【００２０】
＜本発明の情報表示用パネルの構成（主にパネル構造）について＞
本発明の情報表示用パネルの構成について、帯電性粒子を含んだ粒子群を表示媒体とする粒子移動方式の情報表示用パネルの例をあげて、図１（ａ）、（ｂ）、図２（ａ）、（ｂ）、図３（ａ）、（ｂ）、図４（ａ）、（ｂ）、図５（ａ）、（ｂ）および図６に基づき説明する。
【００２１】
図１（ａ）、（ｂ）に示す例では、少なくとも光学的反射率および帯電性を有する粒子を含んだ粒子群として構成した少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、基板間ギャップ確保用の透明隔壁４で形成された各セルにおいて、基板１に設けた電極５（ストライプ電極）と基板２に設けた電極６（ストライプ電極）とが対向交差して形成する画素電極対の間に電圧を印加することにより発生する電界に応じて、基板１、２と垂直に移動させる。そして、図１（ａ）に示したように白色表示媒体３Ｗを観察者に視認させて白色の表示を、あるいは、図１（ｂ）に示したように黒色表示媒体３Ｂを観察者に視認させて黒色の表示を、白黒のドットでマトリックス表示している。ここで、絶縁性の有色層３１は、格子状に形成された基板間ギャップ確保用の透明隔壁に重なる部分に、格子状に形成している。有色層３１の一部は背面基板上に、一部は背面側基板のストライプ電極５をまたぐように透明な基板間ギャップ確保用隔壁４の部分に形成している。９は透明な接着材である。なお、図１（ａ）、（ｂ）において、手前にある隔壁は省略している。また、ここではセルと画素（ドット）とが１対１に対応し、マトリックス配置されている例を示している。
【００２２】
図２（ａ）、（ｂ）に示す例では、少なくとも光学的反射率および帯電性を有する粒子を含んだ粒子群として構成した少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、基板間ギャップ確保用の透明隔壁４で形成された各セルにおいて、基板１に設けた電極５（ＴＦＴ（薄膜トランジスタ）付き画素電極）と基板２に設けた電極６（共通電極）との間に電圧を印加することにより発生する電界に応じて、基板１、２と垂直に移動させる。そして、図２（ａ）に示したように白色表示媒体３Ｗを観察者に視認させて白色の表示を、あるいは、図２（ｂ）に示したように黒色表示媒体３Ｂを観察者に視認させて黒色の表示を、白黒のドットでマトリックス表示している。本例において、絶縁性の有色層３１は背面側のＴＦＴ基板の表面全面に形成している。さらに、観察側の透明電極６の表面全面に、絶縁性の透明層３２を形成している。ここで、９は透明な接着材である。なお、図２（ａ）、（ｂ）において、手前にある隔壁は省略している。また、ここではセルと画素（ドット）とが１対１に対応し、マトリックス配置されている例を示している。
【００２３】
また、上述した例ではセル空間が気体（例えば空気）で満たされている粒子移動方式の情報表示用パネルの例を説明したが、セル空間を真空としたり、気体の代わりに、絶縁液体で満たし、液体中で粒子を移動させる電気泳動方式の情報表示用パネルとしたりすることもできる。電気泳動方式の場合、図３（ａ）、（ｂ）に示すように、帯電性粒子を含んだ粒子群を表示媒体３Ｗ、３Ｂとして透明な絶縁液体７とともにカプセル８内に封止した、セルを形成する隔壁４を設けない構成で電気泳動方式の情報表示用パネルとすることもできる。図３（ａ）、（ｂ）では、背面側のＴＦＴ基板表面の全面に絶縁性の有色層３１を形成している。観察側絶縁性基板２に設けた透明電極６（べた導電膜）の上に透明な基板間ギャップ確保用隔壁４を形成し、透明な接着材９でＴＦＴ基板と貼り合わせている。
【００２４】
図４（ａ）、（ｂ）は、それぞれ、観察側基板または背面側基板の内側面のいずれかだけに電極を設け、別体に形成した電極（図示せず）を、情報表示用パネルの電極を設けていない方の基板の外側に対向配置させて表示書き換えを行う情報表示用パネルの例を示している。観察側とする基板２は少なくとも情報表示画面領域が透明な絶縁性基板である。図４（ａ）では、背面側の絶縁性基板１に共通電極５を形成し、その共通電極５の上の透明隔壁４との間の部分にだけ絶縁性の有色層３１を設けた例を示している。観察側とする基板２は少なくとも情報表示画面領域が透明な絶縁性基板である。図４（ｂ）では、背面側の絶縁性基板１に共通電極５を形成し、その共通電極５の上の全面に絶縁性の有色層３１を設けた例を示している。図４（ａ）、（ｂ）に示した例の情報表示用パネルでは、情報表示用パネルのいずれかの基板側に設けたべた導電膜と別体に形成した外部電極との間に電界を形成し、２枚の基板間に表示媒体として配置してある帯電性粒子を含んだ粒子群を移動させて表示書き換えを行う。本例では、情報表示用パネルと外部電極とを別体に構成し、外部電極を利用して表示情報を書き換えた後、情報表示用パネルだけを着脱式リライタブル型電子ペーパーとして持ち運ぶことが可能となる。
【００２５】
図５（ａ）、（ｂ）はそれぞれ図４（ａ）、（ｂ）に示した構成の情報表示用パネルを駆動するための別体の電極を含む駆動装置の一例を説明するための図である。図５（ａ）、（ｂ）に示した例において、図５（ａ）は駆動装置ＴＦＴ基板部分の平面図を示し、図５（ｂ）はその部分断面図を示している。なお、説明を簡単にするために、図５（ａ）に示した平面図と図５（ｂ）に示した断面図とは必ずしも構成を一致させていない。図５（ａ）、（ｂ）に示したＴＦＴ基板部分の構造はこれに限定されるものではなく、従来からＴＦＴ基板として公知の種々の構成のものを用いることができる。
【００２６】
図５（ａ）、（ｂ）に示す例では、駆動装置のＴＦＴ基板部分２１を、基台２２上に、アクティブ・マトリックス方式のＴＦＴ回路２３と各ＴＦＴ回路２３に接続した画素電極２４を設けて構成されたＴＦＴ基板から形成している。ＴＦＴ回路２３は、マトリックス状に配置された画素電極２４に対応して設けられた半導体層２５に対し、ゲート電極２６とソース電極２７とを直交して設けるとともに、ドレイン電極２８を設けて構成されている。ドレイン電極２８は各別に画素電極２４と接続する。ＴＦＴ回路２３のスイッチング機能により、画素電極２４に対する電圧印加のＯＮ／ＯＦＦを制御している。なお、２９は保護層である。
【００２７】
図６は本発明の情報表示用パネルに図５（ａ）、（ｂ）に示した駆動装置により情報を表示する方法の一例を説明するための図である。図６に示す例において、情報表示用パネルに情報を表示する方法の特徴は、駆動装置のＴＦＴ基板部分２１の画素電極２４の表面と、この画素電極２４と対向する情報表示用パネル１９の電極が形成されていない方の絶縁性基板１と、を密着させて情報を書き換えて表示する点にある。
【００２８】
情報を書き換え表示する際の一例としては、まず、駆動装置のＴＦＴ基板部分２１のすべてのＴＦＴ回路２３をＯＮとして、駆動装置のＴＦＴ基板部分２１のすべての画素電極２４と情報表示用パネル１９のべた導電膜５との間に電圧を印加することで発生する電界により、情報表示用パネルの情報表示画面全体を黒色または白色の表示とする消去操作を行う。次に、表示させたい情報に応じて、駆動装置のＴＦＴ基板部分２１の各ＴＦＴ回路２３をＯＮまたはＯＦＦ状態として、駆動装置のＴＦＴ基板部分２１の画素電極２４と情報表示用パネル１９のべた導電膜５との間に部分的に電圧を印加することにより発生する電界により、情報表示用パネル１９の基板２または基板１に情報を表示する。その後、駆動装置のＴＦＴ基板部分２１から情報表示用パネル１９を離しても、情報表示用パネル１９に表示された情報は、そのメモリー性により、そのまま消えることなく維持されるので、情報表示用パネルの透明パネル基板側から観察することによって表示された情報を見ることができる。図６に示す例では、情報表示用パネルとして観察側とする基板２において、情報表示画面領域を透明にして、透明な導電膜５を形成し、背面側とする基板１に絶縁性の有色層３１を形成したものを用いている。
【００２９】
＜本発明の情報表示用パネルの構成（主に絶縁性の有色層の配置）について＞
図７（ａ）、（ｂ）および図８（ａ）、（ｂ）はそれぞれ本発明の情報表示用パネルにおける観察側から見た有色層の状態の一例を説明するための図である。図７（ａ）に示す例は図１（ａ）、（ｂ）に示した例と同様にストライプ電極５、６を用いた構成とし、図７（ｂ）に示す例は図２（ａ）、（ｂ）に示した例と同様にＴＦＴ基板１を用いて共通電極６と画素電極５とを用いた構成としている。いずれの例においても、背面側となる絶縁性基板１の電極５上を含めた情報表示画面領域全面に絶縁性の有色層を形成し、観察側となる絶縁性基板２の電極６上を含めた情報表示画面領域全面に絶縁性の透明層３２を形成している。図７（ａ）では、絶縁性の白色層３１Ｗを情報表示画面領域全面に形成した後、その上の基板間ギャップ確保用の透明隔壁４に対応する部分にだけ、絶縁性の黒色層３１Ｂを格子状に形成している。図７（ｂ）では、絶縁性の黒色層３１Ｂを情報表示画面領域全面に形成している。図７（ａ）に示した例では、セル内に白色層３１Ｗが露出するので、情報表示用パネルの明るさが向上する効果があり、黒色層３１Ｂによるブラックマトリックス効果との相乗効果で視認性が向上する。また、図７（ａ）、（ｂ）において、セル内は絶縁層（白色層３１Ｗまたは黒色層３１Ｂ）および透明ストライプ電極の上にある絶縁性の透明層３２が露出しているので、粒子３Ｗａ、３Ｂａに対する帯電序列を規定する効果をも得ることができる。
【００３０】
図８（ａ）に示す例は、図３（ａ）、（ｂ）に示した例と同様に、透明絶縁液体７とともに帯電性粒子を含んだ粒子群を表示媒体として封止したマイクロカプセル８を用いた構成とし、図８（ｂ）に示した例は図１（ａ）、（ｂ）に示した構成に加えて、各画素毎に赤色カラーフィルター１１Ｒ、緑色カラーフィルター１１Ｇ、青色カラーフィルター１１ＢＬを設けて１表示単位を形成したカラー表示可能な構成としている。図８（ｂ）においては、背面側となる絶縁性基板１の電極５上を含めた情報表示画面領域全面に絶縁性の黒色層３１Ｂを形成し、観察側となる絶縁性基板２の電極６上を含めた情報表示画面領域全面に絶縁性の透明層３２を形成している。図８（ａ）においては、マイクロカプセル内の帯電性粒子が共通電極６に接することがないので、観察側となる絶縁性基板２の共通電極６の上には絶縁性の透明層は設けないで、絶縁性材料で構成されたマイクロカプセルが共通電極６の上に配置される構成にしている。図８（ａ）、図８（ｂ）の例でも、セル内の帯電性粒子と接する基板内側にある面には、絶縁性の層が配置されており、絶縁性の層、粒子３Ｗａ、３Ｂａに対する帯電序列を規定する効果も得られる。
【００３１】
図７（ａ）、（ｂ）および図８（ａ）、（ｂ）に示した例において、観察側から情報表示用パネルを見た状態は、格子状に形成した基板間ギャップ確保用の透明隔壁４の位置が黒色に観察され、従来のブラックマトリックスと同等の効果があることがわかる。接着材９には透明なものを用いるのが好ましいが、この構成に限っては黒色の接着材を用いることもできる。また、図７（ａ）、（ｂ）および図８（ｂ）に示した例のように、表示媒体として基板間に配置した帯電性粒子を含む粒子群が基板に接する構造の情報表示用パネルで、背面側となる基板１の情報表示画面領域全面に絶縁性の有色層３１（黒色層３１Ｂまたは白色層３１Ｗ）を形成した場合には、対向する観察側となる基板２の情報表示画面領域全面に、絶縁性の透明層３２を設けるのが好ましい。
【００３２】
基板に設けた電極（導電膜）はセル内に配置されるため表示媒体（粒子）と触れることになる。背面側の基板１に絶縁性の有色層３１を形成するときに、この絶縁性の有色層３１をセル内の領域部分にも配置した場合、この絶縁性の有色層３１が表示媒体（粒子）と触れることになる。このとき、観察側の基板２側においても、設けられた透明な電極（導電膜）に表示媒体（粒子）が触れるのではなく、絶縁性の有色層３１と同様の絶縁性を有する透明層３２を設けて、この絶縁性の透明層３２に表示媒体（粒子）が触れるようにすると、表示媒体（粒子）が反転移動しやすくなる。この理由は解明されてはいないが、それぞれの基板側に移動した表示媒体（粒子）と基板側との接触状態を同様な状態にしておくことで、２種類の粒子がほぼ同時に移動できるようになるものと推察している。従って、セル内にある電極部分に絶縁性の有色層３１を形成しない場合、すなわち、透明な基板間ギャップ確保用隔壁に対応する部分にだけ絶縁性の有色層３１を形成した場合は、セル内では背面側の電極が露出した構成となるので、観察側でも同様に観察側の電極がセル内で露出した構成にするのが好ましく、絶縁性の透明層３２は設けないのが好ましい構成となる。
【００３３】
図９（ａ）、（ｂ）および図１０（ａ）、（ｂ）はそれぞれ本発明の情報表示用パネルにおける観察側から見た有色層の状態のさらに他の例を説明するための図である。図９（ａ）、図１０（ａ）はそれぞれ観察側から見た有色層の状態を示し、図９（ｂ）、図１０（ｂ）はそれぞれ図９（ａ）、図１０（ａ）の部分断面を示している。図９（ａ）、（ｂ）および図１０（ａ）、（ｂ）に示す例は、図１（ａ）、（ｂ）に示した例と同様に、ストライプ電極５、６を用いた構成としているが、基板間ギャップ確保用の透明隔壁４を格子状に形成することにより形成されたセル１８に対応して、それぞれ２本のストライプ電極５、６を交差して設け、電極５、６が対向する領域で構成する画素４個を２×２の配置でマトリックス形成している。図１０（ａ）、（ｂ）に示す例は、図９（ａ）、（ｂ）に示した例と同様に、基板間ギャップ確保用の透明隔壁４を格子状に形成することにより形成されたセル１８に対応して、それぞれ２本のストライプ電極５、６を交差して設け、電極５、６が対向する領域で構成する画素４個を２×２の配置でマトリックス形成するとともに、４個の画素に対応して、観察側基板２の内側に、赤色カラーフィルター１１Ｒ、緑色カラーフィルター１１Ｇ、青色カラーフィルター１１ＢＬ、無色透明カラーフィルター１１Ｔ、平坦化層１２を形成している。なお、図１０（ａ）、（ｂ）に示した例では、絶縁性の白色層３１Ｗを背面側基板の情報表示画面領域全面に形成した後、その上の基板間ギャップ確保用の透明隔壁４に対応する部分にだけ、絶縁性の黒色層３１Ｂを格子状に形成している。また、図９（ａ）、（ｂ）および図１０（ａ）、（ｂ）に示した例では、基板間ギャップ確保用の透明隔壁を背面側基板１に形成し、接着材９を用いて、観察側基板２に貼り合わせている。
【００３４】
本発明の情報表示用パネルにおいて、有色層３１の色は特に限定されないが、白色又は黒色であることが好ましい。有色層３１を白色とした場合は、従来のホワイトマトリックス層を使用した例と同じ効果が得られ、有色層３１を黒色とした場合は、従来のブラックマトリックス層を使用した例と同じ効果が得られる。いずれの場合もコントラストを向上でき画像視認性を良好にすることができる。他の例えば青色、緑色等を使用することもでき、その場合は、全体の表示を若干青色、緑色とすることができ、黒板のような表示をすることができる。また、図１０（ａ）に示した例のように、表示媒体と触れる導電膜部分に絶縁性の白色層３１Ｗを形成し、透明隔壁４に対応する部分に絶縁性の黒色層３１Ｂを形成すると、ブラックマトリックス効果が高まるとともに、画面全体が表示領域の奥にある絶縁性の白色層３１Ｗの白色により明るくなる。
【００３５】
＜本発明の情報表示用パネルで用いる絶縁性の層について＞
本発明の情報表示用パネルで用いる絶縁性の層は、体積固有抵抗が、１．０×１０10Ω・ｃｍ以上とする。絶縁性の層の体積固有抵抗が、１．０×１０10Ω・ｃｍ未満であると十分な絶縁性が得られずに、表示媒体を駆動させるための電界に影響が出たり、基板にパターニング配置した電極間でリークが発生したりする不都合がある。
【００３６】
絶縁性の層を設けるときの膜厚は、１００ｎｍ〜５μｍとすることが好ましい。また、絶縁性の層の表面は平滑であってもよいし、凹凸を有していてもよい。凹凸の範囲は、表示媒体により調整する。表示媒体として粒子を用いた場合には、表面粗さのメジャーであるＲａと、粒子の平均粒子径Ｄａｖｅとの関係で、０≦Ｒａ≦０．１×Ｄａｖｅであるようにすることが好ましい。つまり、最大凹凸を平均粒子径の１／１０に留める。これは、絶縁性の層上に移動してきた粒子が絶縁性の層の凹部にはまり込まないようにして、その移動性に影響しないようにするためである。
【００３７】
絶縁性の層を形成する材料は、ウレタン樹脂、アクリル樹脂、ポリエステル樹脂、ウレタン変性アクリル樹脂、シリコーン樹脂、ナイロン樹脂、エポキシ樹脂、スチレン樹脂、ブチラール樹脂、塩化ビニリデン樹脂、メラミン樹脂、フェノール樹脂、フッ素樹脂などの樹脂で、体積固有抵抗が１．０×１０10Ω・ｃｍ以上の材料が挙げられ、２種以上混合することもできる。特に、表示媒体に粒子を採用した場合、粒子と基板との付着力を制御する観点から、ポリエステル樹脂、アクリルウレタン樹脂、アクリルウレタンシリコーン樹脂、アクリルウレタンフッ素樹脂、ウレタン樹脂、フッ素樹脂が好適である。これらの樹脂に荷電制御剤を添加して、粒子との帯電序列を調整することもできる。薄膜の形成方法としては、ディッピング法、スプレー法、ロールコーター法、刷毛塗り法等いずれの方法を用いてもよい。
【００３８】
背面側基板１の情報表示画面領域全面に絶縁性の有色層３１を設けた場合には、観察側基板２の情報表示画面領域も絶縁性にしておくことが好ましく、観察側の基板２上に電極が設けられている場合には、その電極の上にさらに絶縁性の層を設ける。この場合の絶縁性の層は透明にする必要があり、上記した材料のうち透明なものを選択して用いる。背面側の基板１に配置する絶縁性の有色層３１は所望の色にすることができる。上記した材料に所望の色の顔料や染料を配合して用いる。このとき、配合した顔料や染料によっては、成膜後の体積固有抵抗や、帯電序列に影響を与えるものがあるので、本発明に係る体積固有抵抗や帯電序列の範囲にあるようにすることが肝要となる。なお、本発明の情報表示用パネルには、図１（ａ）、（ｂ）〜図４（ａ）、（ｂ）、図７（ａ）、（ｂ）〜図１０（ａ）、（ｂ）に示したようにいろいろな形態があり、絶縁性の有色層以外の絶縁性層を配置しない構成にしてもよい。
【００３９】
＜本発明の情報表示用パネルで用いる帯電性粒子と絶縁性の層との帯電序列について＞
表示媒体として帯電性粒子を含んだ粒子群を２種類（正帯電性粒子：粒子Ａおよび負帯電性粒子：粒子Ｂ）用い、これらの粒子群を配置する２枚の基板表面の粒子群と触れる面を絶縁性とする場合、粒子Ａ、粒子Ｂおよび絶縁性層の帯電序列を、粒子Ａ＞絶縁性層＞粒子Ｂ、とするのが好ましい。双方の基板面に電極（導電膜）を設けた例においては、観察側の絶縁性層は透明な絶縁性層であり、背面側の絶縁性層は絶縁性の有色層３１となる。また、一方の基板面にだけ電極（導電膜）を設けた例においては、電極を設けていない絶縁性基板が絶縁性層であり、電極（導電膜）の上全面に設けた絶縁性層（有色層または透明層）が絶縁性層２となる。これらの絶縁性層および帯電性粒子を構成する材料の帯電序列は、各材料の粉体を以下に説明するブローオフ法で測定することができる。
【００４０】
ブローオフ法においては、両端に網を張った円筒容器中に粉体とキャリア粒子の混合体を入れ、一端から高圧ガスを吹き込んで粉体とキャリア粒子とを分離し、網の目開きから粉体のみをブローオフ（吹き飛ばし）する。この時、粉体が容器外に持ち去った帯電量と等量で逆の帯電量がキャリア粒子に残る。そして、この電荷による電束の全てはファラデーケージで集められ、この分だけコンデンサーは充電される。そこで、コンデンサー両端の電位を測定することにより、粉体の電荷量Ｑは、Ｑ＝ＣＶ（Ｃ：コンデンサー容量、Ｖ：コンデンサー両端の電圧）として求められる。
ブローオフ粉体帯電量測定装置（京セラケミカル社製ＴＢ−２０３）にて、表示媒体とする２種類の粒子（粒子Ａおよび粒子Ｂ）および基板面を構成する絶縁性膜材料の粉に対して同一のキャリア粒子を用いて測定を行い、単位重量あたり電荷密度（単位：μＣ／ｇ）を測定して、帯電序列を求めることができる。
【００４１】
絶縁性の有色層や透明層の帯電特性（帯電序列）は、絶縁性材料に荷電制御剤を配合して調整することができる。荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００４２】
＜本発明の情報表示用パネルで絶縁性の層に用いる絶縁性の薄膜について＞
電極（導電膜）が表面に形成された２枚の基板を、電極面が対面するように対向させる場合、対向する電極対間に表示媒体として配置した帯電性粒子が電極に接するように、電極面が露出された構成であってもよいし、電極面が絶縁性の層で被覆された構成であってもよい。対向する電極対の一方の電極面が露出していて、もう一方の電極面が絶縁性の層で被覆されていてもよいが、表示媒体として配置した帯電性粒子を電界で移動させるという観点からは、粒子が接触する双方の基板面が同じ状態であることが好ましく、対向する電極対双方の電極面が露出しているか、対向する電極対双方の電極面が絶縁性の層で被覆されているかのいずれかが好ましい。
【００４３】
対向させる２枚の絶縁性基板のいずれにも電極（導電膜）を設けない構成の情報表示用パネルや、対向させる２枚の絶縁性基板の一方に電極（導電膜）を設けて、もう一方には電極（導電膜）を設けない構成の情報表示用パネルにおいても同様に、粒子が接触する双方の基板面が同じ状態であることが好ましく、対向する基板のうち電極が設けられている基板に対しては、電極面を絶縁性層で被覆して、対向するもう一方の絶縁性基板と同じ状態の基板面とするのが好ましい。
【００４４】
対向させた基板間に表示媒体として配置した帯電性粒子を含む粒子群が接触する面の絶縁性、言い換えれば帯電性は同程度であることが好ましく、同じ絶縁性材料で構成することが好ましい。一方の基板にだけ電極を配置した絶縁性基板を用いた場合には、電極を配置していない絶縁性基板と、電極の上に配置した絶縁性の層との絶縁性（帯電性）を同程度にする。電極対の電極面が露出している構成の情報表示用パネルにおいては、双方の電極面が、表示媒体として配置した帯電性粒子を含む粒子群に接触することになり、この場合には、本発明に係る、粒子Ａ、粒子Ｂおよび絶縁性の有色層との帯電序列の関係における好ましい態様は適用されない。このような構造の情報表示用パネルは、情報表示画面領域の透明な基板間ギャップ確保用隔壁に対応する部分にだけ絶縁性の有色層３１を設けることで得られる。この際の絶縁性の有色層３１の形成方法としては、例えば、インクとした絶縁性の有色層材をスクリーン印刷法で基板上の所定の部分に印刷したり、別の面にスクリーン印刷法やフォトリソ法などの方法を用いて所定形状で形成したおいた絶縁性の有色層材を基板上の所定の部分に転写したりする方法がある。
【００４５】
＜本発明の情報表示用パネルを構成する各部材について＞
表示媒体としては、帯電性粒子を含んだ粒子群の他に、コレステリック液晶など電界で駆動できるものを用いることができる。表示媒体として粒子を用いる場合は、粒子の平均粒子径が、１μｍ〜２０μｍ程度が好ましい。この場合、情報表示用パネルにおいて粒子を収納するセルの開口の大きさは、四角形（格子構造）であれば、１辺の長さが５０μｍ〜１０００μｍ程度、好ましくは１００μｍ〜３００μｍ程度であり、六角形（ハニカム構造）の場合は、向かい合う頂点の距離が１００μｍ〜１０００μｍ程度が好ましく、１００μｍ〜３００μｍ程度がより好ましい。このような構成にすれば、セル内で移動を繰り返した粒子が、凝集したり、偏在したりする不都合が発生しにくい。
【００４６】
情報表示画面領域における基板間空間をセルに仕切り、基板間ギャップを確保するための隔壁の配置は格子状、ハニカム状、網目状などにすることができる。本発明では、この隔壁を透明に形成する。セル開口の形状は、四角形、三角形、六角形、階段型八角形等の多角形や、円形、楕円形、レーストラック形等いずれでも良いし、複数の形状のセルを組み合わせて配置しても良い。表示媒体として粒子を用いる場合は、粒子を移動しやすくできる点から曲線を有する形状が好ましい。前記二つの点から角丸付きの四角形や角丸付きの六角形、角丸付きの階段型八角形が好ましく用いられる。
【００４７】
隔壁の形成材料としては、レジスト材が好適であり、液状レジスト材やドライフィルムレジスト材が用いられる。ドライフィルムレジスト材の一例として、アルフォＮＩＴ２（ニチゴーモートン社製）やＰＤＦ３００（新日鐵化学社製）を使用することができる。情報表示画面領域に配置する透明な基板間ギャップ確保用隔壁は、上記したレジスト材に顔料を配合せずにフォトリソグラフィーを実行して得ることができる。情報表示画面領域以外に設ける隔壁は透明でなくてもよいので、必要に応じて所望の色の顔料を配合したレジスト材を用いて形成することができる。もちろん、必要な隔壁をすべて同じ透明レジスト材で形成してもよく、この場合には、すべての隔壁を同時に形成できるので効率の面でも好ましい。
【００４８】
表示媒体を駆動するための電極（導電膜）を情報表示用パネルの基板に設ける場合の導電膜材としては、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の導電金属酸化物類、ポリアニリン、ポリピロール、ポリチオフェン（例えば、poly (3, 4-ethylenedioxythiophene)-poly-(styrenesulfonate)(PEDOT:PSS)）等の導電性高分子類や、金、銀、銅、アルミニウム、ニッケル、クロムや、これらの金属を主成分とする合金等の金属が挙げられ、必要な形状にパターニングして配置する。観察側基板の情報表示画面領域には透明な導電膜を設ける必要があるが、観察側基板の情報表示画面領域外や背面側基板に設ける導電膜は、透明であってもよいし、透明でなくてもよい。
【００４９】
導電膜の形成方法としては、上記例示の材料をスパッタリング法、真空蒸着法、ＣＶＤ（化学蒸着）法、塗布法等で薄膜状に形成する方法や金属箔（例えば圧延銅箔）をラミネートする方法、導電剤を溶媒や合成樹脂バインダーに混合して塗布したりする方法が用いられる。パターン形成可能で導電性である上記材料を好適に用いることができる。なお、観察側基板の情報表示画面領域に設ける導電膜の厚さは、導電性が確保でき光透過性に支障がなければ良く、０．０１μｍ〜１０μｍが好ましく、０．０５μｍ〜５μｍがより好ましい。また、観察側基板の情報表示画面領域外や背面側基板に設ける導電膜の厚さは、導電性が確保できれば良く、０．０１μｍ〜１０μｍが好ましく、０．０５μｍ〜５μｍがより好ましい。
【００５０】
透明導電膜として好適なＩＴＯ等の金属酸化物系材料は、金属材料に比べて可とう性が小さい。ＩＴＯ等の金属酸化物系材料で導電膜を構成する場合には、透明導電膜中での断線防止のため、金属細線と併用することが好ましい。この金属細線の幅は、１μｍ〜１０μｍとすれば表示視認性の妨げとならないので好ましい。情報表示画面領域外や背面側基板に設ける導電膜は光透過性を考慮する必要がないので電気抵抗が小さく、可とう性にも優れた前記金属材料が好適に用いられる。また、観察側基板の情報表示画面領域外や背面側基板に設ける導電膜の厚さは電気抵抗および生産性、コストの観点から、０．０１μｍ〜１０μｍに設計される。
【００５１】
帯電性粒子を含んだ粒子群を表示媒体として、気体中空間（真空中を含む）で駆動させる方式とする場合には、パネル基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、対向する２枚の基板に挟まれる部分から、電極、表示媒体の占有部分、隔壁の占有部分、パネル基板間のシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるようにパネル基板間に封入することが必要であり、例えば、表示媒体の充填、パネルの組み立てなどを所定湿度環境下にて行い、さらに、外からの湿度侵入を防ぐ本発明に係るシール材、シール方法を施すことが肝要である。
【００５２】
本発明の対象とする情報表示用パネルの基板と基板との間隔は、表示媒体が駆動できて、表示コントラストを維持できればよく、２μｍ〜５００μｍ、好ましくは５μｍ〜２００μｍに、表示媒体の種類に合わせて調整される。
帯電性粒子を含んだ粒子群を表示媒体として、気体中空間（真空中を含む）で駆動させる方式とする場合には、基板と基板との間隔は１０μｍ〜２００μｍ、好ましくは１０μｍ〜１００μｍの範囲で調整される。さらに、この場合に、基板間の気体中空間（真空中を含む）における表示媒体の体積占有率は５〜７０％が好ましく、さらに好ましくは５〜６０％である。７０％を超える場合には表示媒体としての粒子の移動に支障をきたし、５％未満の場合にはコントラストが不明確となり易い。
【００５３】
＜本発明において絶縁性の有色層３１の色を調整する着色剤について＞
着色剤としては、以下に例示するような、有機または無機の各種、各色の顔料、染料が使用可能である。いずれの着色剤を使用した場合にも、形成した有色層３１の体積固有抵抗が１．０×１０10Ω・ｃｍ以上となるようにする。
黒色着色剤としては、カーボンブラック、酸化銅、二酸化マンガン、チタンブラック、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００５４】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００５５】
黒色の絶縁性の有色層３１とする場合に用いる黒色着色剤としては、前記例示した材料の表面に非導電性処理を施して導電性を制御したものが好ましい。白色の絶縁性の有色層３１とする場合に用いる白色着色剤としては、酸化チタンが好ましい。
【００５６】
＜本発明の情報表示用パネルの製造方法について＞
図１１（ａ）〜（ｄ）、図１２（ａ）〜（ｄ）、図１３（ａ）〜（ｄ）、図１４（ａ）〜（ｄ）および図１５（ａ）〜（ｄ）はそれぞれ本発明の情報表示用パネルの製造方法の各工程を説明するための図である。図１１（ａ）〜（ｄ）および図１２（ａ）〜（ｄ）では、観察側基板２および背面側基板１の双方に電極を形成した例を示し、図１３（ａ）〜（ｄ）、図１４（ａ）〜（ｄ）および図１５（ａ）〜（ｄ）では、観察側基板２と背面側基板１とのいずれかのみに電極を形成した例を示している。
【００５７】
図１１（ａ）〜（ｄ）に示す例に従って、本発明の情報表示用パネルの製造方法における各工程の一例を説明すると、まず、図１１（ａ）に示すように、背面側の絶縁性基板１上にストライプ電極５をパターニングして形成し、背面側絶縁性基板１のストライプ電極５がパターニングされた面であって、情報表示画面領域にあたる領域の全面に絶縁性の黒色層３１Ｂを配置する。絶縁性の黒色層３１Ｂは、ここでは情報表示画面領域内の全面に配置しているが、情報表示画面領域の透明隔壁を形成する箇所だけを被覆するように形成してもよい。なお、図１１（ａ）においては絶縁性の黒色層３１Ｂとしたが、絶縁性の有色層３１は、黒色以外の所望の色を選択することができる。また、ストライプ電極５以外のＴＦＴ付電極であってもよい。さらに、ストライプ電極５の材料は、ＩＴＯ、ＩＺＯなどの透明な導電性金属酸化物のほか、アルミニウム（Ａｌ）、金（Ａｕ）、銅（Ｃｕ）などの非透明導電性金属などを用いることもできる。本発明では背面側絶縁性基板１およびストライプ電極５の透明性は必須ではない。
【００５８】
次に、図１１（ｂ）に示すように、絶縁性の黒色層３１Ｂの上に、透明レジスト材を成膜後、フォトマスクを用いて露光して基板間ギャップ確保用の透明な隔壁４を形成する。基板間ギャップ確保用の透明な隔壁４は、少なくとも情報表示画面領域内に形成されている。なお、図１１（ｂ）に示した例において、レジスト材は、液状レジストやドライフィルムレジストを用いることができる。また、基板間ギャップ確保用の透明な隔壁４を形成するために、少なくとも露光後に透明となるレジスト材を用いる。例えば、アルフォＮＩＴ２（ニチゴーモートン社製）やＰＤＦ３００（新日鐵化学製）を用いることが好ましい。
【００５９】
次に、図１１（ｃ）に示すように、基板間ギャップ確保用の透明な隔壁４でが形成されている情報表示画面領域に表示媒体（ここでは白色粒子群３Ｗと黒色粒子群３Ｂ）を配置し、基板間ギャップ確保用の透明な隔壁４上に透明な接着材９を配置する。なお、図１１（ｃ）に示した例において、接着材９の配置と、表示媒体（３Ｗ、３Ｂ）の配置との順番はどちらが先でもよい。すなわち、接着材９に二段階硬化型接着剤を用いて、光硬化（１段目硬化）させて非タック性にした後、表示媒体を配置するか、あるいは、表示媒体を配置した後、熱硬化型または光硬化型（いずれも一段階硬化型）接着剤を接着材９として配置することができる。
【００６０】
次に、図１１（ｄ）に示すように、基板１の周囲にシール材３３を配置した後、透明なストライプ電極６を配置した観察側とする絶縁性の基板２を重ね、接着材９およびシール材３３を硬化させて、貼り合わせ工程を終了し、情報表示用パネルを得る。本例では、観察側のストライプ電極６の上に、絶縁性の透明層３２を形成した基板２を、背面側基板１に対して貼り合わせ、ストライプ電極５、６が互いに直交交差するように観察側の基板２と背面側の基板１とを対向させている。
【００６１】
図１２（ａ）〜（ｄ）に示す例に従って、本発明の情報表示用パネルの製造方法における各工程の他の例を説明すると、まず、図１２（ａ）に示すように、背面側の絶縁性基板１上にストライプ電極５をパターニングして形成し、背面側絶縁性基板１のストライプ電極５がパターニングされた面に絶縁性の黒色層３１Ｂを配置する。絶縁性の黒色層３１Ｂは、情報表示画面領域内の透明隔壁を形成する箇所だけに、ここでは格子状に形成されている。なお、図１２（ａ）においては絶縁性の黒色層３１Ｂとしたが、絶縁性の有色層３１は、黒色以外の所望の色を選択することができる。また、ストライプ電極５以外のＴＦＴ付電極であってもよい。さらに、ストライプ電極５の材料は、ＩＴＯ、ＩＺＯなどの透明な導電性金属酸化物のほか、アルミニウム（Ａｌ）、金（Ａｕ）、銅（Ｃｕ）などの非透明導電性金属などを用いることもできる。本発明では背面側絶縁性基板１およびストライプ電極５の透明性は必須ではない。
【００６２】
次に、図１２（ｂ）に示すように、情報表示画面領域に透明ストライプ電極６を形成した観察側の絶縁性基板２の電極側面に、透明レジスト材を成膜後、フォトマスクを用いて露光して基板間ギャップ確保用の透明な隔壁４を形成する。次に、図１２（ｃ）に示すように、基板間ギャップ確保用の透明な隔壁４が形成されている情報表示画面領域に表示媒体（ここでは白色粒子群３Ｗと黒色粒子群３Ｂ）を配置し、基板間ギャップ確保用の透明な隔壁４上に透明な接着材９を配置する。次に、図１２（ｄ）に示すように、基板２の周囲にシール材３３を配置した後、ストライプ電極５を配置した基板２を重ね、接着材９およびシール材３３を硬化させて、貼り合わせ工程を終了し、情報表示用パネルを得る。本例では、情報表示画面領域の表示領域となる、格子状隔壁４が形成されていない部分には電極が露出した構成となり、ストライプ電極５、６が互いに直交交差するように観察側のパネル基板２と背面側のパネル基板１とを対向させている。なお、図１２（ｄ）に示した情報表示用パネルは、下側の面が観察側となる。
【００６３】
図１３（ａ）〜（ｄ）に示す例に従って、本発明の情報表示用パネルの製造方法における各工程のさらに他の例を説明すると、まず、図１３（ａ）に示すように、背面側絶縁性基板１の情報表示画面領域にあたる領域の全面に共通電極５を形成するとともに、共通電極５上であって基板間ギャップ確保用の透明な隔壁４が配置される位置に絶縁性の黒色層３１Ｂを配置する。次に、図１３（ｂ）に示すように、絶縁性の黒色層３１Ｂの上に、透明レジスト材を成膜後、フォトマスクを用いて露光して基板間ギャップ確保用の透明な隔壁４を形成する。次に、図１３（ｃ）に示すように、基板間ギャップ確保用の透明な隔壁４が形成されている情報表示画面領域に表示媒体（ここでは白色粒子群３Ｗと黒色粒子群３Ｂ）を配置し、基板間ギャップ確保用の透明な隔壁４上に透明な接着材９を配置する。次に、図１３（ｄ）に示すように、基板１の周囲にシール材３３を配置した後、観察側とする、少なくとも情報表示画面領域が透明な絶縁性の基板２を重ね、接着材９およびシール材３３を硬化させて、貼り合わせ工程を終了し、情報表示用パネルを得る。
【００６４】
図１４（ａ）〜（ｄ）に示す例に従って、本発明の情報表示用パネルの製造方法における各工程のさらに他の例を説明すると、まず、図１４（ａ）に示すように、背面側絶縁性基板１の全面に共通電極５を形成するとともに、共通電極５上であって情報表示画面領域にあたる領域の全面に絶縁性の黒色層３１Ｂを配置する。次に、図１４（ｂ）に示すように、観察側の少なくとも情報表示画面領域が透明な絶縁性基板２に、透明レジスト材を成膜後、フォトマスクを用いて露光して基板間ギャップ確保用の透明な隔壁４を形成する。次に、図１４（ｃ）に示すように、基板間ギャップ確保用の透明な隔壁４が形成されている情報表示画面領域に表示媒体（ここでは白色粒子群３Ｗと黒色粒子群３Ｂ）を配置し、基板間ギャップ確保用の透明な隔壁４上に透明な接着材９を配置する。次に、図１４（ｄ）に示すように、基板２の周囲にシール材３３を配置した後、背面側とする絶縁性の基板１を重ね、接着材９およびシール材３３を硬化させて、貼り合わせ工程を終了し、情報表示用パネルを得る。なお、図１４（ｄ）に示した情報表示用パネルは、下側の面が観察側となる。
【００６５】
図１５（ａ）〜（ｄ）に示す例に従って、本発明の情報表示用パネルの製造方法における各工程のさらに他の例を説明すると、まず、図１５（ａ）に示すように、背面側絶縁性基板１の情報表示画面領域にあたる領域の全面に共通電極５を形成し、共通電極５上の前面に絶縁性の白色層３１Ｗを形成し、白色層３１Ｗ上であって基板間ギャップ確保用の透明な隔壁４が配置される位置に絶縁性の黒色層３１Ｂを配置する。絶縁性の白色層３１Ｗおよび黒色層３１Ｂはいずれもスクリーン印刷により形成することができる。次に、図１５（ｂ）に示すように、絶縁性の黒色層３１Ｂの上に、透明レジスト材を成膜後、フォトマスクを用いて露光して基板間ギャップ確保用の透明な隔壁４を形成する。次に、図１５（ｃ）に示すように、基板間ギャップ確保用の透明な隔壁４が形成されている情報表示画面領域に表示媒体（ここでは白色粒子群３Ｗと黒色粒子群３Ｂ）を配置し、基板間ギャップ確保用の透明な隔壁４上に透明な接着材９を配置する。次に、図１５（ｄ）に示すように、基板１の周囲にシール材３３を配置した後、観察側とする少なくとも情報表示画面領域が透明な絶縁性の基板２を重ね、接着材９およびシール材３３を硬化させて、貼り合わせ工程を終了し、情報表示用パネルを得る。
【産業上の利用可能性】
【００６６】
本発明の情報表示用パネルは、ノートパソコン、電子手帳、ＰＤＡ(Personal Digital Assistants)と呼ばれる携帯型情報機器、携帯電話、ハンディターミナル等のモバイル機器の表示部、電子書籍、電子新聞等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ(Point Of Presence, Point Of Purchase advertising)、電子値札、電子棚札、電子楽譜、ＲＦ−ＩＤ機器の表示部のほか、ＰＯＳ端末、カーナビゲーション装置、時計など様々な電子機器の表示部に好適に用いられるほか、外部書換え手段に接続して表示書換えを行う電子ペーパーや外部装置の電極を利用して電界を形成して表示書き換えを行う電子ペーパーとしても好適に用いられる。
【００６７】
表示媒体としては、これまでに説明した帯電性粒子を含んだ粒子群の他に、コレステリック液晶のように電界によって駆動できる種々なタイプの表示媒体を用いることができる。本発明の対象となる情報表示用パネルの駆動方式については、パネル自体にスイッチング素子を用いない単純マトリックス駆動方式やスタティック駆動方式、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動方式や、外部装置の電界を利用して電界を形成するなど種々のタイプの駆動方式の情報表示用パネルに適用できる。
【符号の説明】
【００６８】
１、２  基板
３Ｗ  白色表示媒体
３Ｗａ  負帯電性白色粒子
３Ｂ  黒色表示媒体
３Ｂａ  正帯電性黒色粒子
４  透明な基板間ギャップ確保用隔壁
５、６  電極
７  絶縁液体（透明）
８  カプセル（透明）
９  透明な接着材
１１Ｒ  赤色カラーフィルター
１１Ｇ  緑色カラーフィルター
１１ＢＬ  青色カラーフィルター
１１Ｔ  無色透明カラーフィルター
１２  平坦化層
１８  セル
１９  情報表示用パネル
２１  駆動装置のＴＦＴ基板部分
２２  基台
２３  ＴＦＴ回路
２４  画素電極
２５  半導体層
２６  ゲート電極
２７  ソース電極
２８  ドレイン電極
２９  保護層（保護膜）
３１  絶縁性の有色層
３１Ｂ  絶縁性の黒色層
３１Ｗ  絶縁性の白色層
３２  絶縁性の透明層
３３  シール材
【図１】
2012078748.tif 000003
【図２】
2012078748.tif 000004
【図３】
2012078748.tif 000005
【図４】
2012078748.tif 000006
【図５】
2012078748.tif 000007
【図６】
2012078748.tif 000008
【図７】
2012078748.tif 000009
【図８】
2012078748.tif 000010
【図９】
2012078748.tif 000011
【図１０】
2012078748.tif 000012
【図１１】
2012078748.tif 000013
【図１２】
2012078748.tif 000014
【図１３】
2012078748.tif 000015
【図１４】
2012078748.tif 000016
【図１５】
2012078748.tif 000017
【図１６】
2012078748.tif 000018
【図１７】
2012078748.tif 000019